(57)【特許請求の範囲】
【請求項１】
床面上に起立する脚と、
前記脚の上部に支持される上部構造と、
前記上部構造から下方に向かって延出する上部構造側連結部と、
前記脚に形成され、前記上部構造および前記上部構造側連結部の少なくとも一方に突き当たることで前記上部構造の荷重を受ける荷重受け部と、
前記脚に設けられ、前記上部構造側連結部における内側を向く側面に沿う脚側連結部と、
前記上部構造側連結部と前記脚側連結部とを前記側面に交差する方向に沿って互いに押圧させて連結する連結具と、
を備え、
前記脚は、
所定方向に離間して配置された一対の脚部材と、
前記一対の脚部材同士を連結する上部連結部材と、を有し、
前記上部構造側連結部は、前記上部連結部材の上方において、前記一対の脚部材の間に配置されていることを特徴とする什器。
【請求項２】
前記脚側連結部は、前記上部構造側連結部よりも前記什器の内方に配置されていることを特徴とする請求項１に記載の什器。
【請求項３】
前記上部構造は、前記上部構造側連結部よりも前記什器の内方で前記上部構造側連結部側に固定されていることを特徴とする請求項２に記載の什器。
【請求項４】
前記上部構造側連結部は前記什器の外方を向く外側面を有し、
前記脚は、前記上部構造側連結部の前記外側面に沿うように上方に延びる壁部を備えることを特徴とする請求項１から３のいずれか一項に記載の什器。
【請求項５】
前記荷重受け部は、前記上部構造の下面に突き当たるように構成された前記壁部の上端部であることを特徴とする請求項４に記載の什器。
【請求項６】
前記上部構造側連結部と前記脚とは、上下方向に隙間を有して対向していることを特徴とする請求項１から５のいずれか一項に記載の什器。
【請求項７】
前記上部構造側連結部の前記側面に、前記上部構造の下面と平行に連続する溝が形成され、
前記連結具の一端部は、前記溝内に係止されることを特徴とする請求項１から６のいずれか一項に記載の什器。
【請求項８】
前記溝は、上下に間隔を有して複数形成され、
一方の前記溝に前記上部構造と前記上部構造側連結部とを連結する連結部材の一端部が係止され、
他方の前記溝に前記連結具の一端部が係止されることを特徴とする請求項７に記載の什器。
【請求項９】
前記上部構造は、平面視において一方向に長い平面形状を有し、
前記上部構造側連結部は、前記上部構造の下面に沿って前記一方向に連続して形成されていることを特徴とする請求項１から８のいずれか一項に記載の什器。
【発明の詳細な説明】
【技術分野】
【０００１】
本発明は、テーブル等の什器に関する。
【背景技術】
【０００２】
各種の会議、作業、飲食等を行うテーブルは、天板と、天板を支持する脚と、を備えている。
このようなテーブルにおいて、例えば特許文献１に開示されているように、天板と脚とを、ピン状の挿入架材を介して連結した構成が開示されている。この構成において、天板の下面には、下方に向かって垂下する垂下片を有したブラケットが設けられている。また、脚上には、上方に起立する起立壁を有した横架材が設けられている。これらブラケットの垂下片と横架材の起立壁とを当接又は近接させ、垂下片および横架材に形成した係合孔に、ピン状の挿入架材を横方向から挿入することで、天板と脚とを連結している。
【先行技術文献】
【特許文献】
【０００３】
【特許文献１】特許第４１１１０６４号公報
【発明の概要】
【発明が解決しようとする課題】
【０００４】
上述したような構成においては、天板に対して上下方向の荷重や力が作用した場合、互いに当接または近接した天板側の垂下壁と脚側の起立壁とが上下方向に相対変位する。これによって、垂下壁および起立壁の係合孔に横方向から挿入されたピン状の挿入架材に対し、挿入架材の軸方向（挿入方向）に直交する剪断力が作用する。特に、天板の外周端部が、脚に対して側方に大きく張り出して設けられ、天板のオーバーハング寸法が大きい場合、天板の外周端部に上下方向の荷重や力が作用すると、この荷重や力によるモーメントが大きくなり、挿入架材に大きな剪断力が作用する。このため、挿入架材が破損し、天板と脚との結合部が壊れる可能性がある。
そこでなされた本発明の目的は、天板等の上部構造と脚との結合強度を高めることのできる什器を提供することである。
【課題を解決するための手段】
【０００５】
本発明は、上記課題を解決するため、以下の手段を採用する。
この発明に係る什器は、床面上に起立する脚と、前記脚の上部に支持される上部構造と、前記上部構造から下方に向かって延出する上部構造側連結部と、前記脚に形成され、前記上部構造および前記上部構造側連結部の少なくとも一方に突き当たることで前記上部構造の荷重を受ける荷重受け部と、前記脚に設けられ、前記上部構造側連結部における内側を向く側面に沿う脚側連結部と、前記上部構造側連結部と前記脚側連結部とを前記側面に交差する方向に沿って互いに押圧させて連結する連結具と、備え、前記脚は、所定方向に離間して配置された一対の脚部材と、前記一対の脚部材同士を連結する上部連結部材と、を有し、前記上部構造側連結部は、前記上部連結部材の上方において、前記一対の脚部材の間に配置されていることを特徴とする。
【０００６】
このような構成によれば、脚に形成された荷重受け部で上部構造の荷重が脚によって支持された状態で、上部構造側連結部と脚側連結部とを、連結具によって互いに押圧させて結合するので、連結具に上下方向の作用する剪断力を抑えることができる。これによって、連結具が破損することを抑えることができる。
【０００７】
また、この発明に係る什器は、上記什器において、前記脚側連結部は、前記上部構造側連結部よりも前記什器の内方に配置されているようにしてもよい。
このように構成することで、脚側連結部、および脚側連結部と上部構造側連結部との連結部分が、上部構造側連結部よりも什器の内方に配置されるため、外方から什器を見ると上部構造側連結部で隠れることとなり、外観が向上する。
【０００８】
また、この発明に係る什器は、上記什器において、前記上部構造は、前記上部構造側連結部よりも前記什器の内方で前記上部構造側連結部側に固定されているようにしてもよい。
このように構成することで、上部構造と上部構造側連結部との固定部分も上部構造側連結部の内側に隠れることとなり、外観が向上する。
【０００９】
また、この発明に係る什器は、上記什器において、前記上部構造側連結部は前記什器の外方を向く外側面を有し、前記脚は、前記上部構造側連結部の前記外側面に沿うように上方に延びる壁部を備えるようにしてもよい。
このように構成することで、脚の壁部によって上部構造側連結部が隠れ、脚と上部構造とが一体化したような外観を呈することができる。また、上部構造側連結部の外側に脚の壁部が沿うことで、上部構造側連結部を外側からサポートすることができる。
【００１０】
さらに、この発明に係る什器は、上記什器において、前記荷重受け部は、前記上部構造の下面に突き当たるように構成された前記壁部の上端部であるようにしてもよい。
このような構成によれば、壁部の上端部が上部構造の下面に直接突き当たることで、荷重受け部として上部構造の荷重を支持する。これにより、壁部が荷重受け部を兼ねることとなり、脚の構成をシンプルなものとすることができる。
【００１１】
さらに、この発明に係る什器は、上記什器において、前記上部構造側連結部と前記脚とは、上下方向に隙間を有して対向しているようにしてもよい。
このように、壁部が上部構造の下面に直接突き当たって上部構造の荷重を支持する構成において、上部構造側連結部と脚との間に隙間が形成されることで、上部構造の荷重が上部構造側連結部を介して脚に作用することがない。このような構成では、大きな荷重や力が作用して上部構造が上部構造側連結部とともに下方に撓んだ場合には、上部構造側連結部が脚に突き当たるように隙間を設定することで、上部構造側連結部の撓みによる下方への変位を拘束し、上部構造側の荷重や力を脚に伝達することもできる。
【００１２】
また、この発明に係る什器は、上記什器において、前記上部構造側連結部の前記側面に、前記上部構造の下面と平行に連続する溝が形成され、前記連結具の一端部は、前記溝内に係止されるようにしてもよい。
このようにして、上部構造側連結部に形成した溝を用いて連結具を係止することで、連結具による上部構造側連結部と脚側連結部との連結位置の自由度を高めることができる。これにより、上部構造に対する脚の位置を、溝に沿った範囲内で容易に変更することができる。
【００１３】
また、この発明に係る什器は、上記什器において、前記溝は、上下に間隔を有して複数形成され、一方の前記溝に前記上部構造と前記上部構造側連結部とを連結する連結部材の一端部が係止され、他方の前記溝に前記連結具の一端部が係止されるようにしてもよい。
このように構成することで、連結部材についても、上部構造と上部構造側連結部との連結位置の自由度を高めることができる。さらに、連結部材と連結具とが同じ溝内で干渉することがない。
【００１４】
また、この発明に係る什器は、上記什器において、前記上部構造は、平面視において一方向に長い平面形状を有し、前記上部構造側連結部は、前記上部構造の下面に沿って前記一方向に連続して形成されているようにしてもよい。
このように構成することで、一方向に長い上部構造を、上部構造側連結部によって強固に支持することができる。また、このように上部構造の補強要素として機能する上部構造側連結部を脚側連結部との結合にも用いることで、什器を構成する部材点数を抑えることができる。
【発明の効果】
【００１５】
この発明に係る什器によれば、上部構造等の上部構造と脚との結合強度を高めることが可能となる。
【図面の簡単な説明】
【００１６】
【図１】この発明の一実施形態に係るテーブルの全体構成を示す斜視図である。
【図２】上記テーブルの脚の構成を示す斜視図である。
【図３】上記テーブルを第一の方向から見た図である。
【図４】上記テーブルを第二の方向から見た図である。
【図５】上記テーブルの脚と天板との結合部の構成を示す図である。
【図６】上記テーブルの脚と天板との結合部の構成の要部を示す拡大図である。
【図７】上記脚の部品構成を示す斜視展開図である。
【図８】上記脚の脚本体を示す斜視図である。
【図９】上記天板の下面に設けたビームの端部の平面図である。
【図１０】上記ビームの端部に対するエンドプレートの取付構造を示す側面図である。
【発明を実施するための形態】
【００１７】
以下、添付図面を参照して、本発明による什器を実施するための形態を説明する。しかし、本発明はこの実施形態のみに限定されるものではない。
【００１８】
図１は、この発明の一実施形態に係るテーブルの全体構成を示す斜視図である。図２は、上記テーブルの脚の構成を示す斜視図である。図３は、上記テーブルを第一の方向から見た図である。図４は、上記テーブルを第二の方向から見た図である。図５は、テーブルの脚と天板との結合部の構成を示す図である。図６は、テーブルの脚と天板との結合部の構成の要部を示す拡大図である。図７は、上記脚の部品構成を示す斜視展開図である。図８は、上記脚の脚本体を示す斜視図である。図９は、天板の下面に設けたビームの端部の平面図である。図１０は、ビームの端部に対するエンドプレートの取付構造を示す側面図である。
図１〜図４に示すように、テーブル（什器）１０は、床面Ｆ上に起立する複数の脚２０と、これら複数の脚２０上に支持される天板（上部構造）３０と、を備えている。
【００１９】
この実施形態のテーブル１０において、天板３０は、例えば平面視長方形状で、その上面３０ｆに沿った第一の方向Ｘに短く、上面３０ｆに沿った面内で第一の方向Ｘに直交する第二の方向Ｙを長く形成されている。天板３０は、平面視長方形状に限らず、長円形、楕円形等の平面視形状としてもよい。
【００２０】
図５、図６に示すように、天板３０は、例えば、パネル状の芯材３１と、その上下の表面３１ｆ、３１ｇを覆う表皮材３２，３３と、から構成されている。芯材３１は、アルミニウム合金製、またはボール紙、段ボール紙等の厚紙製等で、上下方向に貫通する断面六角形状の孔（図示無し）が、表面３１ｆ、３１ｇに沿った面内で多数配列されたハニカム構造を有している。表皮材３２、３３は、樹脂系材料、木質材料等からなり、芯材３１の上下の表面３１ｆ、３１ｇにそれぞれ接着されている。
【００２１】
脚２０は、天板３０において長手方向である第二の方向Ｙの一端側と他端側とに、それぞれ設けられている。各脚２０は、短手方向である第一の方向Ｘの両端部にそれぞれ設けられた脚部材２１、２１と、これら脚部材２１、２１の上部同士を連結する上部連結部材２２と、脚部材２１、２１の下部同士を連結する下部連結部材２３と、を備えている。
【００２２】
図２、図４に示すように、上部連結部材２２は、その上面２２ｔが、脚部材２１、２１の上端（荷重受け部）２１ｔ、２１ｔよりも、所定寸法下方に位置するよう設けられている。言い換えると、脚部材２１は、上部連結部材２２の上面２２ｔよりも上方に向かって延出するよう設けられた上部延出部２１ｊを有している。
【００２３】
下部連結部材２３は、その下面２３ｂが、脚部材２１、２１の下端２１ｂ、２１ｂよりも所定寸法上方に位置するよう設けられている。これにより、脚２０の脚部材２１、２１が床面Ｆに接地した状態で、脚部材２１、２１間の下部連結部材２３の下面２３ｂと床面Ｆとの間には、隙間Ｓが形成され、この隙間Ｓを通して下部連結部材２３の下方に各種配線１００等を挿通させることができる。
【００２４】
図２、図３に示すように、各脚部材２１は、第一の方向Ｘから見たときの第二の方向Ｙに沿った幅寸法Ｗ１が、下方から上方に向けて漸次増大するよう形成されている。
各脚部材２１は、第一の方向Ｘから見たとき、上端２１ｔに対し下端２１ｂが、テーブル１０の第二の方向Ｙの外側に位置するよう、傾斜して設けられている。これにより、第二の方向Ｙに沿って互いに対向する一対の脚２０は、脚２０、２０同士の間隔が上方から下方に向かって漸次拡大し、略八の字状に配置されている。
【００２５】
また、図２、図４に示すように、各脚部材２１は、第二の方向Ｙから見たときに、テーブル１０の第一の方向Ｘの内側に位置する内側面２１ｐが床面Ｆに対して直交する鉛直面とされている。脚部材２１は、テーブル１０の第一の方向Ｘの外側に位置する外側面２１ｑが、脚部材２１の上端２１ｔから下端２１ｂに向かって、内側面２１ｐから第一の方向Ｘに沿った方向に漸次離間する傾斜面とされている。これにより、脚２０は、第二の方向Ｙから見たときの幅寸法Ｗ２が、上方から下方に向けて漸次増大するよう形成されている。
【００２６】
図７に示すように、脚２０は、脚本体２００と、脚本体２００を覆うように設けられた脚カバー部２１０と、を備えている。
【００２７】
図７、図８に示すように、脚本体２００は、第一の方向Ｘに離間して配置された一対の脚部材本体２０１と、一対の脚部材本体２０１，２０１の上部同士を連結する上部連結部材本体２０２と、一対の脚部材本体２０１，２０１の下部同士を連結する下部連結部材本体２０３と、を備えている。本実施形態では、脚本体２００は、金属製とされている。
【００２８】
各脚部材本体２０１は、脚部材２１の内側面２１ｐ（図２参照）に沿う内側プレート部２０１ｐと、脚部材２１の外側面２１ｑ（図２参照）に沿う外側プレート部２０１ｑと、内側プレート部２０１ｐと外側プレート部２０１ｑとを、テーブル１０の第二の方向Ｙの内側に面する側で連結する連結プレート部２０１ｒと、を備え、平断面視略コ字状に形成されている。脚部材本体２０１の上部には、内側プレート部２０１ｐと外側プレート部２０１ｑとを、テーブル１０の第二の方向Ｙの外側に面する側で連結する閉塞プレート部２０１ｓが設けられている。これによって、脚部材本体２０１の上部は、平断面視略ロ字状に形成されている。
【００２９】
脚部材本体２０１の内側プレート部２０１ｐの上部には、上部連結部材本体２０２が挿入される貫通孔２０１ｈが形成されている。また、内側プレート部２０１ｐの下部には、下部連結部材本体２０３が挿入される開口２０１ｊが形成されている。
【００３０】
また、脚部材本体２０１の下端は、底部プレート部２０１ｂにより閉塞されている。底部プレート部２０１ｂには、脚本体２００の高さ調整、レベル調整を行うためのアジャスタボルト２０５がねじ込まれている。
【００３１】
上部連結部材本体２０２は、下部プレート部２０２ｂと、下部プレート部２０２ｂの第一方向Ｘの両端から上方に延出する一対の側部プレート部２０２ｓ、２０２ｓと、を一体に備え、断面視すると上向きコ字状をなしている。
上部連結部材本体２０２の両端部は、それぞれ、脚部材本体２０１の内側プレート部２０１ｐに形成された貫通孔２０１ｈに挿入され、溶接等により接合されている。
このようにして、上部連結部材本体２０２は、上方に向けて開口している。この上部連結部材本体２０２の側部プレート部２０２ｓ、２０２ｓ上には、固定ブラケット２４のベース部２５が固定されている。これにより、上部連結部材本体２０２の下部プレート部２０２ｂと、固定ブラケット２４のベース部２５と、側部プレート部２０２ｓ、２０２ｓとの間には、配線等が収容できる空間が形成されている。このベース部２５には、上下に貫通する開口部２０６が形成されている。
【００３２】
下部連結部材本体２０３は、上部プレート部２０３ｔと、上部プレート部２０３ｔの第二の方向Ｙの両端から下方に延出する側部プレート部２０３ｓ、２０３ｓと、を一体に備えて、断面視すると下向きコ字状をなしている。
この下部連結部材本体２０３の両端部は、それぞれ、脚部材本体２０１の内側プレート部２０１ｐに形成された開口２０１ｊに挿入され、溶接等により接合されている。
このようにして、下部連結部材本体２０３は、下方に向けて開口している。
【００３３】
図７に示すように、脚カバー部２１０は、脚部材本体２０１を覆う外側面カバー２１１および補強部材２１２と、脚部材本体２０１の内側プレート部２０１ｐに沿って配置される内側面カバー２１３と、上部連結部材本体２０２を覆う上部カバー２１４と、下部連結部材本体２０３を覆う下部カバー２１５と、を備えている。
【００３４】
補強部材２１２は、金属製で、脚部材本体２０１の外側プレート部２０１ｑに沿う取付ベース部２１２ａと、連結プレート部２０１ｒに沿う第一側部プレート部２１２ｂと、脚部材本体２０１の連結プレート部２０１ｒと反対側の部分に沿う第二側部プレート部２１２ｃと、を一体に備え、平断面視略コ字状に形成されている。
【００３５】
外側面カバー２１１は、脚部材本体２０１の外側プレート部２０１ｑおよび補強部材２１２の取付ベース部２１２ａを覆う外側カバー面２１１ａと、連結プレート部２０１ｒおよび第一側部プレート部２１２ｂを覆う第一側部カバー面２１１ｂと、脚部材本体２０１の連結プレート部２０１ｒと反対側の部分および第二側部プレート部２１２ｃを覆う第二側部カバー面２１１ｃと、脚部材本体２０１の上端部および補強部材２１２の上端部を覆う上部カバー面２１１ｄと、を一体に備えている。
【００３６】
本実施形態では、外側面カバー２１１は、脚部材本体２０１側が樹脂製、その外側が木製で構成されている。これにより、外側面カバー２１１は、木目調の外観を呈しつつ、内側部分で強度を確保することができる。
【００３７】
この補強部材２１２は、脚部材本体２０１に対し、側方から嵌合できるように形成されている。さらに、補強部材２１２には、取付ベース部２１２ａに図示しないマグネットが設けられている。このマグネットにより、補強部材２１２が外側プレート部２０１ｑに磁着される。また、取付ベース部２１２ａにおいて外側プレート部２０１ｑに対向する側とは反対側の表面２１２ｆには、図示しない両面テープ等が貼り付けられている。この両面テープにより、外側面カバー２１１の外側カバー面２１１ａが補強部材２１２に貼着されている。
ここで、マグネットと両面テープは、取付ベース部２１２ａにおいて外側プレート部２０１ｑに対向する側と、その反対側の表面２１２ｆとに別々に設けてもよいが、両面テープの一面にマグネットを貼り付け、このマグネットを取付ベース部２１２ａの表面２１２ｆに磁着させてもよい。
このようにして、脚部材本体２０１に対し、外側面カバー２１１は、補強部材２１２を介して装着される。外側面カバー２１１を脚部材本体２０１に装着した状態で、外側面カバー２１１の上部カバー面２１１ｄは、脚部材２１の上端２１ｔを形成する。
【００３８】
内側面カバー２１３は、平板状で、脚部材本体２０１の内側プレート部２０１ｐを、上下の貫通孔２０１ｈ、２０１ｊの間で覆うよう設けられる。本実施形態では、内側面カバー２１３は、脚部材本体２０１の内側プレート部２０１ｐ側が樹脂製、その外側が木製で構成されている。内側面カバー２１３には、内側プレート部２０１ｐに対向する側に図示しないマグネットが設けられている。このマグネットにより、内側面カバー２１３が内側プレート部２０１ｐに磁着される。
【００３９】
上部カバー２１４は、上部連結部材本体２０２の下部プレート部２０２ｂに沿う下部カバー面２１４ｂと、上部連結部材本体２０２の側部プレート部２０２ｓ、２０２ｓにそれぞれ沿う側部カバー面２１４ｓ、２１４ｓと、を一体に備え、断面視すると上向きコ字状をなしている。本実施形態では、上部カバー２１４は、上部連結部材本体２０２側が樹脂製、その外側が木製で構成されている。上部カバー２１４には、下部カバー面２１４ｂにおいて下部プレート部２０２ｂに対向する側に図示しないマグネットが設けられている。このマグネットにより、上部カバー２１４が上部連結部材本体２０２の下部プレート部２０２ｂに磁着される。
【００４０】
下部カバー２１５は、下部連結部材本体２０３の上部プレート部２０３ｔに沿う上部カバー面２１５ｔと、下部連結部材本体２０３の側部プレート部２０３ｓ、２０３ｓにそれぞれ沿う側部カバー面２１５ｓ、２１５ｓと、を一体に備え、断面視すると下向きコ字状をなしている。本実施形態では、下部カバー２１５は、下部連結部材本体２０３側が樹脂製、その外側が木製で構成されている。下部カバー２１５には、例えば上部カバー面２１５ｔにおいて上部プレート部２０３ｔに対向する側に図示しないマグネットが設けられている。このマグネットにより、下部カバー２１５が下部連結部材本体２０３の上部プレート部２０３ｔに磁着される。
【００４１】
図２，７，８に示すように、脚２０（脚本体２００）は中空構造とされ、その内部に配線１００等を床面Ｆから天板３０（図１参照）に向けて挿通させることができる。詳しくは、配線１００は、床面Ｆから立ち上がり、下部連結部材本体２０３の下面に形成された開口部（図示無し）から下部連結部材本体２０３の内部に導入される。さらに、配線１００は、脚部材本体２０１の内側プレート部２０１ｐに形成された開口２０１ｊ、脚部材本体２０１の内部、脚部材本体２０１の内側プレート部２０１ｐに形成された貫通孔２０１ｈ、上部連結部材本体２０２の内部を経て、上部連結部材本体２０２上の固定ブラケット２４の開口部２０６を通して、脚本体２００の上方に導出される。このように、脚部材２１、２１において下部連結部材２３（下部連結部材本体２０３）と床面Ｆとの間に形成された隙間Ｓを通して、床面Ｆ上を沿う配線１００を、脚２０内に導くことができる。
【００４２】
図２〜図４に示すように、このような脚２０の上端２０ｔに対し、天板３０は、第一の方向Ｘの外側および第二の方向Ｙの外側に、それぞれオーバーハングして設けられている。天板３０において、第二の方向Ｙに沿ったオーバーハング寸法Ｈ１は、第一の方向Ｘに沿ったオーバーハング寸法Ｈ２よりも大きく設定されている。
【００４３】
このようなテーブル１０において、天板３０は、脚２０に対し、以下のような構成により結合されている。
天板３０の下面には、天板３０の第二の方向Ｙに沿って延びるビーム（上部構造側連結部）４０が設けられている。ビーム４０は、天板３０の第一の方向Ｘに所定間隔を空けて二本一対で設けられている。
【００４４】
図５、図６に示すように、各ビーム４０は、第二の方向Ｙに直交する断面が、上下方向に長く、第一の方向Ｘに短い略長方形状で、テーブル１０の短手方向内側を向く側面４０ａに、上下に間隔を空けて２本の溝４２が形成されている。
各溝４２は、ビーム４０の軸方向、すなわち第二の方向Ｙに沿って、ビーム４０の全長にわたって連続して形成されている。図６に示すように、各溝４２は、ビーム４０の側面４０ａにおける上下方向における開口幅ｓ１に対し、溝底部４２ｂ側の上下方向における開口幅ｓ２が広い、いわゆるアリ溝状に形成されている。
【００４５】
各ビーム４０は、その上面４０ｔを天板３０の下面３０ｂに突き当てた状態で、取付金具４１を介して天板３０に固定されている。
取付金具４１は、天板３０の下面３０ｂに突き当たる第一平面部４１ａと、第一平面部４１ａに直交してビーム４０の側面４０ａに突き当たる第二平面部４１ｂと、を有している。取付金具４１は、第二の方向Ｙを向く面が略直角三角形状をなしている。取付金具４１には、第一平面部４１ａに直交して貫通する挿通孔４３と、第二平面部４１ｂに直交して貫通する挿通孔４４とが形成されている。
【００４６】
このような取付金具４１に対し、ボルト５０を、挿通孔４３を通して天板３０の下面３０ｂに予め形成されたネジ穴３０ｈにねじ込むことで、取付金具４１と天板３０とが結合される。また、ビーム４０の上方の溝４２内に、雌ネジ孔５２ｎが形成された座部材５２を挿入するとともに、ボルト（連結部材）５１を、挿通孔４４を通して溝４２内の座部材（連結部材）５２にねじ込むことで、取付金具４１とビーム４０とが結合される。
【００４７】
図３に示すように、このような取付金具４１は、天板３０の長手方向（第二の方向Ｙ）に間隔を空けた複数箇所に配置されている。ここで、取付金具４１は、第二の方向Ｙにおける脚２０、２０の間隔よりも小さな間隔で配置されている。そして、それぞれの取付金具４１において、上記のように、ボルト５０、５１、座部材５２を締結することで、天板３０とビーム４０とが取付金具４１を介して結合されている。
【００４８】
また、図２、図３に示すように、天板３０の下面３０ｂに固定された二本のビーム４０、４０間には、第二の方向Ｙに沿って間隔を空けて複数の連結ビーム４８が設けられている。図９に示すように、各連結ビーム４８は、第一の方向Ｘに沿って延び、その両端部が、連結金具４９を介してビーム４０、４０に連結されている。これにより、これら二本のビーム４０、４０と、複数の連結ビーム４８とが、平面視梯子状に連結されている。
【００４９】
連結金具４９は、連結ビーム４８の側面４８ａに突き当たる第一平面部４９ａと、第一平面部４９ａに直交してビーム４０の側面４０ａに突き当たる第二平面部４９ｂと、を有し、平面視略直角三角形状をなしている。連結金具４９には、第一平面部４９ａに直交して貫通する挿通孔４９ｈと、第二平面部４９ｂに直交して貫通する挿通孔４９ｊとが形成されている。このような連結金具４９は、上記取付金具４１と同じものを向きを変えて流用することもできる。
【００５０】
このような連結金具４９に対し、ボルト５７を挿通孔４９ｈに挿通させ、その先端部を連結ビーム４８の側面４８ａに予め形成されたネジ穴４８ｈにねじ込むことで、連結金具４９と連結ビーム４８とが結合される。また、ビーム４０の上方の溝４２内に座部材５８を挿入するとともに、ボルト５９を、挿通孔４９ｊを通して溝４２内の座部材５８にねじ込むことで、連結金具４９とビーム４０とが結合される。
【００５１】
図２、図１０に示すように、各ビーム４０の両端部の下側には、第二の方向Ｙに沿ってビーム端４０ｇに向かうにしたがって天板３０の下面３０ｂに漸次近づくように傾斜した傾斜面４０ｋが形成されている。図２、図９、図１０に示すように、二本のビーム４０、４０の両端部には、それぞれ、第一の方向Ｘの両端部が傾斜面４０ｋ、４０ｋおよびビーム端４０ｇ、４０ｇに沿い、傾斜面４０ｋ、４０ｋおよびビーム端４０ｇ、４０ｇの間を塞ぐエンドカバー６０が設けられている。
【００５２】
図９、図１０に示すようにエンドカバー６０は、上面に設けられたブラケット６１、６１を介して、二本のビーム４０、４０の両端部に固定されている。各ブラケット６１は、エンドカバー６０の上面に沿って接合されたベース部６１ａと、ベース部６１ａから直交して上方に延び、ビーム４０の側面４０ａに沿うプレート部６１ｂと、を備えて形成されている。
プレート部６１ｂには、取付金具４１との干渉を避ける逃げ凹部６１ｃが形成されている。また、プレート部６１ｂには、ビーム４０の側面４０ａに形成された上方の溝４２と下方の溝４２とに対向する位置に、複数の貫通孔６１ｈが形成されている。
【００５３】
このようなブラケット６１のプレート部６１ｂに対し、それぞれの貫通孔６１ｈにボルト６２を挿入するとともに、挿入したボルト６２をビーム４０の上下の溝４２内に配置した座部材６３にねじ込む。これにより、エンドカバー６０が、ブラケット６１，６１を介してビーム４０，４０の両端部に装着される。
【００５４】
図５、図６に示すように、脚２０において、上部連結部材２２の上面２２ｔ上には、ビーム４０を固定する固定ブラケット２４が設けられている。固定ブラケット２４は、上部連結部材２２の上面２２ｔに沿い、図示しないボルト等で上面２２ｔに固定されたベース部２５と、ベース部２５において第一の方向Ｘの両端部からそれぞれ上方に延びる固定壁（脚側連結部）２６と、が一体に形成されている。
【００５５】
図６に示すように、固定壁２６は、ベース部２５の端部から上方に立ち上がり、ビーム４０の側面４０ａに沿う下部平面部２６ａと、下部平面部２６ａの上端から直交し、ビーム４０の側面４０ａから離間する方向に延びる直交壁部２６ｂと、直交壁部２６ｂの端部からビーム４０の側面４０ａに平行に延びる座面部２６ｃと、座面部２６ｃの上端から直交してビーム４０の側面４０ａから離間する方向に延びる第二直交壁部２６ｄと、第二直交壁部２６ｄの端部からビーム４０の側面４０ａに平行に延びる平面部２６ｅと、平面部２６ｅの上端から直交してビーム４０の側面４０ａ側に延びる第三直交壁部２６ｆと、第三直交壁部２６ｆの先端からビーム４０の側面４０ａに沿って下方に延びる上部平面部２６ｇと、を一体に有する。
このように、固定壁２６において、脚部材２１の上部延出部２１ｊと対向する側に、上面２２ｔに直交する下部平面部２６ａおよび上部平面部２６ｇが形成されている。また、固定壁２６の座面部２６ｃには、所定の位置に挿通孔２６ｈが形成されている。
【００５６】
また、脚部材２１の上部延出部２１ｊには、固定壁２６に対向する側に、平面部２１ｆが形成されている。換言すると、平面部２１ｆは、ビーム４０における第一の方向Ｘの外方を向く外側面４０ｓに対向している。下部平面部２６ａおよび上部平面部２６ｇと平面部２１ｆとの間隔は、ビーム４０の第一の方向Ｘにおける幅寸法よりも僅かに大きい間隔で配置されている。
このように、ビーム４０は、各脚２０の部分で、固定壁２６と脚部材２１の平面部２１ｆとの間に配置されている。
【００５７】
ここで、天板３０の下面３０ｂが脚部材２１の上端２１ｔに直接突き当たることで、天板３０の荷重は、脚部材２１によって直接支持されている。
また、取付金具４１を介して天板３０の下面３０ｂに固定されたビーム４０の下面４０ｂは、上部連結部材２２の上面２２ｔとの間に、上下方向に僅かな隙間Ｃを有している。
【００５８】
ビーム４０は、その側面４０ａを固定壁２６の下部平面部２６ａおよび上部平面部２６ｇに突き当てた状態で、座部材（連結具）５５およびボルト（連結具）５６によって固定壁２６に固定されている。座部材５５は、雌ネジ孔５５ｈを有しており、ビーム４０の下方の溝４２内に挿入配置される。ボルト５６は、固定壁２６の挿通孔２６ｈを通して溝４２内の座部材５５の雌ネジ孔５５ｎにねじ込まれる。このようにして、下部平面部２６ａおよび上部平面部２６ｇがビーム４０の側面４０ａに突き当たり、ビーム４０と固定壁２６とが結合される。
【００５９】
上述したような構成のテーブル１０は、床面Ｆ上に起立する複数の脚２０と、複数の脚２０上部に支持される天板３０と、天板３０の下面３０ｂに設けられ、天板３０の下面３０ｂから下方に向かって突出するビーム４０と、脚２０の上面に形成され、天板３０の下面３０ｂに突き当たることで天板３０の荷重を受ける脚部材２１の上端２１ｔと、脚２０上に設けられ、上方に向かって延出し、ビーム４０の側面４０ａに沿う固定壁２６と、ビーム４０と固定壁２６とを側面４０ａに直交する方向に沿って互いに押圧させて連結するボルト５６および座部材５５と、を備える。
このような構成によれば、天板３０の荷重が脚２０の上端２１ｔによって支持された状態で、ビーム４０と固定壁２６とが、ボルト５６および座部材５５によって互いに押圧されて結合される。したがって、ボルト５６および座部材５５に上下方向の剪断力が作用することがない。これによって、ビーム４０と固定壁２６による、天板３０と脚２０との結合部の結合強度を高めることができる。
【００６０】
また、固定壁２６は、ビーム４０よりもテーブル１０の内側（内方）に配置されている。このように構成することで、固定壁２６とビーム４０との連結部分が、ビーム４０よりもテーブル１０の内側に配置されるため、外方からテーブル１０を見るとビーム４０で隠れることとなり、外観が向上する。
【００６１】
また、天板３０は、ビーム４０よりもテーブル１０の内側でビーム４０側に固定されている。このように構成することで、天板３０とビーム４０との固定部分も、ビーム４０の内側に隠れることとなり、外観が向上する。
【００６２】
また、脚２０は、ビーム４０においてテーブル１０の外側を向く外側面４０ｓに沿うよう、上方に延びる上部延出部２１ｊを備える。このように構成することで、脚２０の上部延出部２１ｊによってビーム４０の一部が隠れ、脚２０と天板３０とが一体化したような外観を呈することができる。また、ビーム４０の外側に脚２０の上部延出部２１ｊが沿うことで、ビーム４０を外側からサポートすることができる。
【００６３】
加えて、脚２０の上部延出部２１ｊが、天板３０の下面３０ｂに突き当たることで、天板３０の荷重を支持する荷重受け部を構成している。これにより、脚２０の上部延出部２１ｊは、ビーム４０の一部を覆う機能と、荷重受け部との機能を兼ねることとなり、脚２０の構成をシンプルなものとすることができる。
【００６４】
さらに、ビーム４０と脚２０とは、上下方向に隙間Ｃを有して対向している。このような構成によれば、通常状態では、天板３０の荷重がビーム４０を介して脚２０に作用することがない。大きな荷重や力が作用して天板３０がビーム４０とともに下方に撓んだ場合、ビーム４０が脚２０に突き当たることで、ビーム４０の撓みによる下方への変位を拘束し、天板３０の荷重や力を脚２０に伝達することができる。これによって、脚２０において天板３０の荷重や力を受ける部分が増え、脚２０で支持する荷重や力を分散させることができる。
【００６５】
また、ビーム４０の側面４０ａに、天板３０の下面３０ｂと平行に連続する溝４２が形成され、ボルト５６と締結する座部材５５、溝４２内に係止される。このようにして、ボルト５６および座部材５５によるビーム４０と固定壁２６との連結位置の自由度を高めることができる。これにより、天板３０に対する脚２０の位置を、溝４２に沿った範囲内で容易に変更することができる。
【００６６】
また、溝４２は、上下に間隔を有して複数形成され、一方の溝４２に天板３０とビーム４０とを連結するボルト５１および座部材５２の一端部である座部材５２が係止され、他方の溝４２にボルト５６および座部材５５の一端部である座部材５５が係止される。このように構成することで、ボルト５１および座部材５２についても、天板３０とビーム４０との連結位置の自由度を高めることができる。さらに、ボルト５１および座部材５２とボルト５６および座部材５５とが同じ溝４２内で干渉することがない。
【００６７】
また、天板３０は、水平面内において第二の方向Ｙが長手方向とされ、第一の方向Ｘが短手方向とされた平面形状を有し、ビーム４０は、天板３０の下面３０ｂに沿って長手方向に沿って連続して設けられている。このように構成することで、一方向に長い天板３０を、ビーム４０によって補強し、強固に支持することができる。また、このように天板３０の補強要素として機能するビーム４０を、固定壁２６との結合にも用いることで、テーブル１０を構成する部材点数を抑えることができる。
【００６８】
さらに、テーブル１０においては、図４に示すように、第一の方向Ｘから見たときの脚２０の幅寸法Ｗ１を、下方から上方に向けて漸次増大することで、脚２０の上部における天板３０に対する接合部分における強度を確保することができる。また、脚２０の下部においては、脚２０の幅寸法Ｗ２が小さくなることから、使用者の下肢と脚２０とが干渉するのを抑えることができる。
また、図３に示すように、第二の方向Ｙから見たときの脚２０の幅寸法Ｗ２を、上方から下方に向けて漸次増大させることで、脚２０の上部が天板３０の第一の方向Ｘで内方に位置することとなり、天板３０に近い上部の空間を広く確保することができる。したがって、使用者の下肢の膝などが脚２０と干渉しにくくなる。このような構成により、強度を確保しつつ、天板３０下方における下肢収容スペースＳｐを確保できる。
【００６９】
ここで、第一の方向Ｘは、天板３０の短手方向であり、第二の方向Ｙは天板３０の長手方向である。このような構成により、脚２０は、第二の方向Ｙである天板３０の長手方向第二の方向Ｙおよび上下方向の荷重や力に対し、天板３０に対する接合部が高い強度を有することとなる。また、脚２０は、第一の方向Ｘである天板３０の短手方向から天板３０に正対する使用者の下肢が、脚２０の上部と干渉しにくくなる。
ちなみに、このように一方向に長い形状の天板３０においては、一般に、長手方向（第二の方向Ｙ）に沿った長辺３０ｐにおいて天板３０に対向する使用者の数が、短手方向（第一の方向Ｘ）に沿った短辺３０ｑにおいて天板３０に対向する使用者の数よりも多い。つまり、第一の方向Ｘは、天板３０に対して利用の多い側から正対する方向であり、第二の方向Ｙは天板３０に対して利用の少ない側から正対する方向である。これによって、天板３０に対して利用の多い側から見ると、天板３０に正対する使用者の下肢が脚２０に対して干渉しにくくなる。
【００７０】
また、第一の方向Ｘは、脚２０に対して天板３０が側方に張り出すオーバーハング寸法Ｈ２が小さい側から正対する方向であり、第二の方向Ｙは、脚２０に対して天板３０が側方に張り出すオーバーハング寸法Ｈ１が大きい側から正対する方向である。脚２０は、第一の方向Ｘから見たときの脚２０の幅寸法Ｗ１が、下方から上方に向けて漸次増大しているので、第二の方向Ｙおよび上下方向の荷重や力に対し、天板３０との接合部分が高い強度を有する。したがって、天板３０のオーバーハング寸法Ｈ２が大きい部分に加わる荷重や力に対し、脚２０は強度を有効に発揮することができる。
【００７１】
また、上記テーブル１０において、第二の方向Ｙに沿って互いに対向する一対の脚２０同士の間隔が、上方から下方に向かって漸次拡大するよう、それぞれの脚２０が傾斜して設けられている。このように構成することで、天板３０に作用する荷重等により、一対の脚２０同士が第二の方向Ｙに広がる方向の力が作用する。脚２０は、第一の方向Ｘから見たときの脚２０の幅寸法Ｗ１が、下方から上方に向けて漸次増大しているので、第二の方向Ｙおよび上下方向の荷重や力に対し、天板３０との接合部分が高い強度を有する。したがって、一対の脚２０同士の間隔が上方から下方に向かって漸次拡大する構成において、脚２０が第二の方向Ｙに広がりにくく、高い強度を発揮することができる。
【００７２】
（その他の実施形態）
なお、本発明の什器は、図面を参照して説明した上述の実施形態に限定されるものではなく、その技術的範囲において様々な変形例が考えられる。
【００７３】
例えば、上記実施形態では、脚２０を構成する脚部材２１の上端２１ｔが天板３０の下面３０ｂに直接突き当たることで、天板３０の荷重を支持する一方、ビーム４０の下面３０ｂは、上部連結部材２２の上面２２ｔとの間に、上下方向に僅かな隙間Ｃを有する構成とした。これにより、ビーム４０は、通常状態において天板３０の荷重を負担しない構成となっている。しかし、これに限らず、ビーム４０の下面４０ｂを上部連結部材２２の上面２２ｔ上に突き当て、天板３０の荷重をビーム４０を介して脚２０で支持するようにしても良い。この場合、天板３０と上部連結部材２２の上面２２ｔとの間に隙間を形成することも可能である。
【００７４】
また、ビーム４０は、天板３０の長手方向である第二の方向Ｙに沿って連続するようにしたが、これに限らない。天板３０と脚２０とを結合する部分にのみ設けてもよいし、第二の方向Ｙに沿って間欠的に設けてもよい。
【００７５】
また、例えば、脚２０は、第一の方向Ｘまたは第二の方向Ｙから見たときに台形状をなしたパネル体からなるようにしてもよい。さらに、脚２０は、第一の方向Ｘまたは第二の方向Ｙから見たときの形状を、上記実施形態で示した構成に限るものではない。
さらに、また、第二の方向Ｙに沿って互いに対向する一対の脚２０は、脚２０、２０同士の間隔が上方から下方に向かって漸次拡大するよう設けられて、略八の字状に配置したが、これに限らない。一対の脚２０、２０は、それぞれ床面Ｆから鉛直上方に延びるよう、互いに平行に配置されていても良い。また、一対の脚２０は、脚２０、２０同士の間隔が上方から下方に向かって漸次縮小するよう、略逆八の字状に配置してもよい。
さらに、上記実施形態では、テーブル１０は、二つの脚２０を備えているが、その数を問うものではなく、一つ、あるいは三つ以上の脚２０を備えていてもよい。脚２０を一つのみ備える場合、脚２０は天板３０の第一の方向Ｘ、第二の方向Ｙの中央部に配する。この場合、脚２０は、天板３０を安定して支持できるように、第一の方向Ｘおよび第二の方向Ｙに沿った脚２０の厚み寸法を十分に大きく形成するのが好ましい。
【００７６】
さらに、上記実施形態で示したテーブル１０を構成する脚２０、天板３０等の部材の材質については、何ら問うものではなく、木系材料、金属系材料、樹脂系材料、あるいはこれらを組み合わせて形成した構成としてもよい。
加えて、テーブル１０に限らず、カウンター等、他の什器においても、本発明は同様に適用することができる。
さらには、上部構造として天板３０を例示したが、脚２０上で支持するのであれば、例えば箱状等、他の上部構造を備える什器であってもよい。
これ以外にも、本発明の主旨を逸脱しない限り、上記実施の形態で挙げた構成を取捨選択したり、他の構成に適宜変更したりすることが可能である。
【符号の説明】
【００７７】
１０  テーブル（什器）
２０  脚
２０ｔ  上端
２１  脚部材
２１ｔ  上端（荷重受け部）
２１ｊ  上部延出部
２４  固定ブラケット
２５  ベース部
２６  固定壁（脚側連結部）
３０  天板（上部構造）
３０ｂ  下面
４０  ビーム（上部構造側連結部）
４０ａ  側面
４２  溝
５１  ボルト（連結部材）
５２  座部材（連結部材）
５５  座部材（連結具）
５６  ボルト（連結具）
Ｆ  床面
Ｘ  第一の方向（他方向）
Ｙ  第二の方向（一方向）
【図１】
0006715574.tif 000002
【図２】
0006715574.tif 000003
【図３】
0006715574.tif 000004
【図４】
0006715574.tif 000005
【図５】
0006715574.tif 000006
【図６】
0006715574.tif 000007
【図７】
0006715574.tif 000008
【図８】
0006715574.tif 000009
【図９】
0006715574.tif 000010
【図１０】
0006715574.tif 000011